(57)【要約】【課題】店員の操作を良好にし、客からの問い合わせや特定品目の確認を迅速に行うこと。【解決手段】１取引の登録締めを指示する締めキー、１取引で販売登録される商品を記憶する記憶手段、を有し、商品の販売登録後に締めキーが入力されると、記憶手段が記憶した商品に基づいて会計処理を行う商品販売データ処理装置において、１取引で販売登録される商品が登録されると、登録された商品の情報を表示部に表示する表示手段と、記憶手段が記憶する１取引で販売登録される商品の検索指示の入力を受け付ける入力手段と、締めキーの入力前に入力手段により商品の検索指示の入力を受け付けると、検索指示に該当する商品が記憶手段に記憶された商品に存在するか否か検索し、検索指示に該当する商品が存在する場合、表示部に表示する他の商品の情報と区別して検索指示に該当する商品の情報を報知する報知手段と、を具備する。【選択図】図２
2015069401.tif 000002
【特許請求の範囲】
【請求項１】
１取引の登録締めを指示する締めキー、１取引で販売登録される商品を記憶する記憶手段、を有し、商品の販売登録後に前記締めキーが入力されると、前記記憶手段が記憶した商品に基づいて会計処理を行う商品販売データ処理装置において、
前記１取引で販売登録される商品が登録されると、登録された商品の情報を表示部に表示する表示手段と、
前記記憶手段が記憶する１取引で販売登録される商品の検索指示の入力を受け付ける入力手段と、
前記締めキーの入力前に前記入力手段により商品の検索指示の入力を受け付けると、前記検索指示に該当する商品が前記記憶手段に記憶された商品に存在するか否か検索し、前記検索指示に該当する商品が存在する場合、前記表示部に表示する他の商品の情報と区別して前記検索指示に該当する商品の情報を報知する報知手段と、
を具備することを特徴とする商品販売データ処理装置。
【請求項２】
前記報知手段は、
前記報知を行う際、前記検索指示に該当する商品が値下げ商品、あるいは、値引き商品である場合、値下げもしくは値引きに関する情報を含めて報知し、前記検索指示に該当する商品が取消、あるいは、訂正等された商品である場合、取消もしくは訂正に関する情報を含めて報知を行うことを特徴とする、請求項１に記載の商品販売データ処理装置。
【請求項３】
前記報知手段は、
前記検索指示に該当する商品が存在する場合、前記商品の少なくとも数量及び金額を各々合計した合計値を算出し、報知することを特徴とする、請求項１に記載の商品販売データ処理装置。
【発明の詳細な説明】
【技術分野】
【０００１】
本発明は、商品販売データ処理装置に関する。
【背景技術】
【０００２】
従来の小売店では、客が購入する商品の登録や精算にＰＯＳ（Point Of Sales）レジスタ等の装置（いわゆるレジ）が使用されている（例えば、特許文献１参照）。このようなＰＯＳレジスタは、客が購入する商品を登録した順に記憶し、記憶した順に画面に表示する仕組みとなっている。
ＰＯＳレジスタが登録順に商品を記憶し、表示する理由は、商品の登録が行われている最中に商品の登録順が変わってしまうと、店員の操作に支障をきたしてしまう可能があるためである。例えば、店員が商品の取消や訂正操作を行う際に取消や訂正の対象となっている商品を特定することが難しくなってしまう。
【先行技術文献】
【特許文献】
【０００３】
【特許文献１】特開平１−２６３８９８号公報
【発明の概要】
【発明が解決しようとする課題】
【０００４】
しかしながら、客が購入する商品の品目が複数ある場合、買い物かごに複数の品目の商品が乱雑に入っていることも多く、特定の商品のみをまとめて登録する事が困難である。そのため、特定の商品と他の品目の商品とが混ざった状態でＰＯＳレジスタに登録されてしまう。このような状態で、店員が登録中の商品に関して客から問い合わせされた場合や店員自身が登録情報を確認する場合、画面に表示された登録情報を一目で返答あるいは理解することができない。このような場合、店員は、表示内容をスクロール等の操作を行いながら、ＰＯＳレジスタに登録された商品の個数や金額を計算して理解せざるを得なく、表示内容の見間違えや計算間違い等を生じさせる可能性もあった。
【０００５】
また、客から商品に関する問い合わせがなされた場合、店員は値下げ、値引きの金額、もしくは、値下げ等に関連する情報（例えば、特売情報、バンドル、ミックスマッチ、セットマッチ、単価値下げ、分類値下げ、客情報等の値下げに付帯する付帯情報）、又は、取消、訂正の情報、もしくは、取消等に関係する情報詳細な情報（取消に付帯する付帯情報）を素早く理解できないため、詳細な情報（例えば、値下げ等に関する情報、客が取消依頼した商品の個数が正しいか否か等）を客に対して迅速に伝えることができないという問題があった。
【０００６】
上記事情に鑑み、本発明は、店員の操作を良好にし、客からの問い合わせや特定品目の確認を迅速に行うことができる技術の提供を目的としている。
【課題を解決するための手段】
【０００７】
本発明の一態様は、１取引の登録締めを指示する締めキー、１取引で販売登録される商品を記憶する記憶手段、を有し、商品の販売登録後に前記締めキーが入力されると、前記記憶手段が記憶した商品に基づいて会計処理を行う商品販売データ処理装置において、前記１取引で販売登録される商品が登録されると、登録された商品の情報を表示部に表示する表示手段と、前記記憶手段が記憶する１取引で販売登録される商品の検索指示の入力を受け付ける入力手段と、前記締めキーの入力前に前記入力手段により商品の検索指示の入力を受け付けると、前記検索指示に該当する商品が前記記憶手段に記憶された商品に存在するか否か検索し、前記検索指示に該当する商品が存在する場合、前記表示部に表示する他の商品の情報と区別して前記検索指示に該当する商品の情報を報知する報知手段と、を具備することを特徴とする商品販売データ処理装置である。
これにより、店員が登録状態を知りたい商品を指定することでＲＡＭ１０３内に記憶された登録商品のうち指定された商品の情報を他の商品の情報と区別して報知するようにしたため、店員は指定された商品の情報を他の商品の表示情報に邪魔されることなく容易に目視確認することができるので、その商品の登録状態を容易に理解することができる。そのため、客からの要求ないし、特定品目の確認を迅速に行うことができる。
【０００８】
本発明の一態様は、上記の商品販売データ処理装置であって、前記報知手段は、前記報知を行う際、前記検索指示に該当する商品が値下げ商品、あるいは、値引き商品である場合、値下げもしくは値引きに関する情報を含めて報知し、前記検索指示に該当する商品が取消、あるいは、訂正等された商品である場合、取消もしくは訂正に関する情報を含めて報知を行うことを特徴とする。
これにより、客から買上商品の問い合わせに対して値下げや値引きに関する情報（督促情報等）、あるいは、取消や訂正に関する情報等を報知するようにしたため、店員は商品に関する詳細な情報（例えば、あと何個購入すると値引きされる等の情報や取消された商品の個数が正しいか等）を瞬時に理解することができる。そのため、客からの要求、又は特定品目の確認を迅速に行うことができる。
また、本発明の一態様は、上記の商品販売データ処理装置であって、前記報知手段は、前記検索指示に該当する商品が存在する場合、前記商品の少なくとも数量及び金額を各々合計した合計値を算出し、報知することを特徴とする。
これにより、店員が登録状態を知りたい商品を指定することでＲＡＭ１０３内に記憶された登録商品のうち指定された商品の少なくとも数量及び金額をそれぞれ合計した合計値を算出して報知するようにしたため、店員は指定された商品の登録状態を瞬時に理解することができる。そのため、顧客からの要求ないし、特定品目の確認を迅速に行うことができる。
【発明の効果】
【０００９】
本発明により、店員の操作を良好にし、客からの問い合わせや特定品目の確認を迅速に行うことが可能となる。
【図面の簡単な説明】
【００１０】
【図１】本発明の一実施形態における商品販売データ処理装置１０の外観図である。
【図２】本発明の一実施形態における商品販売データ処理装置１０の機能構成を示す概略ブロック図である。
【図３】商品テーブル及び特売情報テーブルの具体例を示す図である。
【図４】商品登録画面の具体例を示す図である。
【図５】登録商品の商品情報を表す図である。
【図６】まとめ表示情報の具体例を示す図である。
【図７】新たに商品登録がなされた後の商品登録画面の具体例を示す図である。
【図８】本実施形態における商品販売データ処理装置１０のまとめ表示処理の流れの具体例を示すフローチャートである。
【発明を実施するための形態】
【００１１】
以下、本発明の一実施形態を、図面を参照しながら説明する。
図１は、本発明の一実施形態における商品販売データ処理装置１０の外観図である。商品販売データ処理装置１０は、客が購入する商品（以下、「買上商品」という。）の登録及び精算を行うための装置であり、小売店等で使用される。また、商品販売データ処理装置１０は、カウンター２２上に設けられる。商品販売データ処理装置１０には、スキャナ部１０４、店員用表示部１０５、操作部１０７、釣銭釣札機１１０、レシート発行口１１２、レシートカバー１１３、釣銭皿１１４が設けられる。
【００１２】
スキャナ部１０４は、商品に付されているバーコード（商品コード）を光学的に読み取る。
店員用表示部１０５は、ＣＲＴ（Cathode Ray Tube）ディスプレイ、液晶ディスプレイ、有機ＥＬ（Electro Luminescence）ディスプレイ等の画像表示装置である。また、店員用表示部１０５は、モード切替、設定、登録等の操作の受付と表示とを行う。店員用表示部１０５の表示面には、抵抗膜方式、あるいは、静電容量方式等からなるタッチパネルが備えられており、タッチパネル上に表示された商品に関する情報（例えば、商品の画像や商品名）を店員が押下することにより、押下された商品の登録が行われたり、登録された商品（以下、「登録商品」という。）の情報や合計金額等が表示される。また、店員用表示部１０５（入力手段）は、店員から登録商品の検索指示の入力を受け付ける。
【００１３】
操作部１０７は、キーボード、ポインティングデバイス（マウス、タブレット等）、ボタン、タッチパネル等の既存の入力装置を用いて構成される。操作部１０７は、商品販売データ処理装置１０を動作させるための操作手段を備える。操作手段は、例えば、１取引の商品登録の完了（登録締め）を宣言（指示）する完了キー（例えば、小計キー、合計キー、現計キー（締めキー）等である。また、例えば、操作部１０７は、店員が操作キー（プリセットキー）を押下すると、そのキーに対応して予め設定登録された商品コード等について、操作入力を受け付けた商品コード等に該当する商品の情報を登録（入力）する。また、例えば、操作部１０７は、店員が操作キー（訂正キー）を押下すると、商品登録されている商品の個数を数字キー等により入力された数（個数）への訂正を受け付けたり、または、商品登録されている商品の指定を受け付けた場合には、指定された商品の取消し等の情報をＣＰＵ１０１に供給する。また、例えば、操作部１０７は、店員が操作キー（品券キー）を押下した場合は、予め品券キーに設定登録されている金額を支払いに用いる金額として受け付け、客より代金支払のために受け取った貨幣種の合計金額を記憶させる預かり金額メモリに記憶させる。これら操作部１０７の操作手段は、メカキー（ハードキー）等のボタンとして配置されていてもよいし、店員用表示部１０５の表示面上に設けられたタッチパネルに配置されてもよい。
【００１４】
釣銭釣札機１１０は、現金投入口（硬貨投入口、紙幣投入口）と現金払出口とを有する。釣銭釣札機１１０は、現金投入口に現金が投入された場合、投入された現金の種別情報及び数量情報をＣＰＵ１０１（図１には図示せず）に出力する。また、釣銭釣札機１１０は、ＣＰＵ１０１から入力された差額情報に応じた金額の釣銭又は釣札を現金払出口から払い出す。
レシート発行口１１２は、商品販売データ処理装置１０に内蔵された印字部（図１には図示せず）によって印刷されるレシートを発行する。また、レシート発行口１１２は、ＣＰＵ１０１の指示に従い、領収書を発行する。
【００１５】
図２は、本発明の一実施形態における商品販売データ処理装置１０の機能構成を示す概略ブロック図である。
商品販売データ処理装置１０は、ＣＰＵ（Central Processing Unit）１０１と、ＲＯＭ（Read Only Memory）１０２と、ＲＡＭ（Random Access Memory）１０３と、スキャナ部１０４と、店員用表示部１０５と、客用表示部１０６と、操作部１０７と、通信部１０８と、ハードディスク１０９と、レシート発行口１１０と、印字部１１１と、釣銭釣札機１１２とを備える。上記の商品販売データ処理装置１０の各機能部は、バス１を介して互いに接続されている。なお、図１に対応する部分においては同一の符号を付けて説明を省略する。
【００１６】
ＣＰＵ１０１は、中央演算処理装置であり、ＲＯＭ１０２に記憶されているプログラムを読み出してＲＡＭ１０３に展開する。ＣＰＵ１０１は、展開したプログラムの各ステップを実行することによって、商品販売データ処理装置１０全体の動作を制御する。
ＣＰＵ１０１（検索手段）は、店員用表示部１０５に入力された検索指示に基づいて、登録商品を検索する。具体的には、ＣＰＵ１０１は、登録商品の検索指示が店員によって入力されると、入力された検索指示に該当する登録商品の商品情報（以下、「登録情報」ともいう。）をＲＡＭ１０３内（例えば、ＲＡＭ１０３のバッファ内）から検索する。登録情報は、例えば商品コードである。
【００１７】
ＣＰＵ１０１（報知手段）は、現計キーの入力前（換言すれば会計処理が始まる前）に従業員の操作に応じて操作部１０７から商品の検索指示の入力を受け付けると、検索指示に該当する商品がＲＡＭ１０３（記憶手段）内に記憶された商品に存在するか否か検索し、検索指示に該当する商品が存在する場合、店員用表示部１０５に表示する他の商品の情報と区別して検索指示に該当する商品の情報を報知する。また、ＣＰＵ１０１（報知手段）は、算出された合計値の報知を行う際、検索指示に該当する登録商品が値下げ商品、あるいは、値引き商品である場合、値下げもしくは値引きに関する情報を含めて報知し、検索指示に該当する登録商品が取消、あるいは、訂正等された商品である場合、取消もしくは訂正に関する情報を含めて報知を行う。また、ＣＰＵ１０１（報知手段）は、検索において検索指示に該当する登録情報がＲＡＭ１０３内に存在する場合、検索指示に該当した登録商品の少なくとも数量及び金額を各々合計した合計値を算出し、報知を行う。具体的には、ＣＰＵ１０１は、登録商品の少なくとも数量及び金額を各々合計した合計値をポップアップ画像として、店員用表示部１０５の画面上に重畳して表示する。
ＣＰＵ１０１（制御手段）は、１取引で販売登録される商品が登録されると、登録された商品の情報を店員用表示部１０５に表示する。
【００１８】
ＲＯＭ１０２は、読み出し専用のメモリであり、商品販売データ処理装置１０を動作させるためのプログラムを予め記憶する。
ＲＡＭ１０３は、種々の情報を記憶する読み出し書き込みメモリである。ＲＡＭ１０３には、ＲＯＭ１０２から読み出されたプログラムが展開される。また、ＲＡＭ１０３は、プログラムが実行されることによって生成された各種データを記憶する。また、ＲＡＭ１０３は、ＣＰＵ１０１が制御を行う際に用いるデータ等を一時的に記憶するワーキングメモリとしても使用される。ＲＡＭ１０３は、ＣＰＵ１０１が制御を行う際に用いるデータ等を一時的に記憶するワークエリアを備える。ワークエリアは、ＣＰＵ１０１が商品の登録処理を行う際に登録商品の商品情報を一時記憶するバッファ等を含む。
【００１９】
また、ＲＡＭ１０３は、ＣＰＵ１０１がハードディスク１０９から読み出した商品テーブルを一時記憶する。商品テーブルには、商品に関する情報が登録されている。商品テーブルには、例えば、商品コード毎に、商品名、通常価格の各値が登録されている。
また、ＲＡＭ１０３は、ＣＰＵ１０１がハードディスク１０９から読み出した特売情報テーブルを一時記憶する。特売情報テーブルには、特売に関する情報が登録されている。特売情報テーブルには、例えば、区分毎に、特売期間、商品コード１、商品コード２、成立数、報知数、値引き額の各値が登録されている。
【００２０】
客用表示部１０６は、商品登録を行った商品情報や合計金額等を客に対して表示する。また、客用表示部１０６は、液晶ディスプレイ等を用いた発光型の表示デバイスであり、例えば、７セグメント表示やドット表示（フルドット表示）によって数字等をその表面に発光して表示する。
通信部１０８は、ネットワークを介して、不図示の外部装置と通信する。ネットワークは、どのように構成されたネットワークでもよい。例えば、ＬＡＮ（Local Area Network）を用いて構成されてもよい。また、外部装置とは、例えば、ストアコントローラ（上位管理装置）である。通信部１０８は、例えばストアコントローラから商品マスタ（商品テーブル）及び特売情報テーブルを受信し、ハードディスク１０９に記録する。
【００２１】
ハードディスク１０９は、例えば、磁気記録装置等の記録装置である。ハードディスク１０９は、種々の情報を記憶する。例えば、ハードディスク１０９は、買上商品の情報（例えば、品目毎に単価、個数、金額、順番情報等）等を記憶する。なお、ハードディスク１０９は、ＲＯＭ１０２に代わって、ＣＰＵ１０１が実行するプログラム等を記憶してもよい。また、ハードディスク１０９は、後述する商品テーブル及び特売情報テーブルを記憶する。
印字部１１１は、不図示のサーマルヘッドと、該サーマルヘッドへ押圧されてセットされるプラテンローラからなり、該プラテンローラはステッピングモータで駆動される。そして、シートはサーマルヘッドとプラテンローラ間を搬送され、該ステッピングモータは、ＣＰＵ１０１からの信号により所定パルス分だけ駆動することでシートが印字されるようになる。
【００２２】
図３は、商品テーブル及び特売情報テーブルの具体例を示す図である。
図３（Ａ）は、商品テーブルの構成図である。図３（Ａ）に示される商品テーブルには、複数のレコードが登録されている。レコードは、例えば商品コード、商品名及び通常価格の各値を有する。商品コードは、商品を一意に識別するための識別情報を表す。商品名は、商品の名前を表す。通常価格は、店頭での販売時に用いられる販売価格または税込み価格の通常時の値を表す。
【００２３】
図３（Ａ）に示される例では、商品テーブルには４つの商品コードが存在する。図３（Ａ）において、商品テーブルの最上段のレコードは、商品コードの値が“ａａａａ”、商品名の値が“リンゴ”、通常価格の値が“１５０”である。すなわち、商品コード“ａａａａ”で識別される商品が“リンゴ”であり、通常時の販売価格（単価）が“１５０円”であることが表されている。
【００２４】
図３（Ｂ）は、特売情報テーブルの構成図である。図３（Ｂ）に示される特売情報テーブルには、複数のレコードが登録されている。レコードは、例えば区分毎に、特売期間、商品コード１、商品コード２、成立数、報知数、値引き額の各値を有する。区分は、特売の販売形態の区分を表す。例えば、区分の具体例として、セットマッチ販売は「１」、ミックスマッチ販売は「２」、通常特売は「３」である。特売期間は、特売が適用される期間を表す。商品コード１及び商品コード２は、商品を一意に識別するための識別情報を表す。成立数は、特売が適用されるための基本数量を表す。報知数は、特売が適用されるための基本数量を店員に対して知らせるための基本数量である。値引き額は、特売が適用された場合の１商品当たりの単価からの値引き価格を表す。なお、“−”の値は、値が設定されていないことを表す。
【００２５】
図３（Ｂ）に示される例では、特売情報テーブルには３つの区分が存在する。図３（Ｂ）において、特売情報テーブルの最上段のレコードは、区分の値が“１”、特売期間の値が“２０１３／５／８〜２０１３／５／３０”、商品コード１の値が“ｂｂｂｂ”、商品コード２の値が“ｃｃｃｃ”、成立数の値が“−”、報知数の値が“−”、値引き額の値が“１００”である。すなわち、特売の販売形態“セットマッチ”の特売対象となっている期間が“２０１３／５／８〜２０１３／５／３０”であり、特売対象となっている商品の商品コードが“ｂｂｂｂ”と“ｃｃｃｃ”との組み合わせであり、特売が適用された場合の単価からの値引き額が“１００円”であることが表されている。
【００２６】
また、図３（Ｂ）において、特売情報テーブルの３段目のレコードは、区分の値が“２”、特売期間の値が“２０１３／５／８〜２０１３／５／３０”、商品コード１の値が“ａａａａ”、商品コード２の値が“−”、成立数の値が“４”、報知数の値が“３”、値引き額の値が“５０”である。すなわち、特売の販売形態“ミックスマッチ”の特売対象となっている期間が“２０１３／５／８〜２０１３／５／３０”であり、特売対象となっている商品の商品コードが“ａａａａ”であり、特売が適用されるための数が“４個”であり、特売が適用されるための数を報知するための数が“３個”であり、特売が適用された場合の単価からの値引き額が“５０円”であることが表されている。
【００２７】
また、図３（Ｂ）において、特売情報テーブルの５段目のレコードは、区分の値が“３”、特売期間の値が“２０１３／５／８〜２０１３／５／３０”、商品コード１の値が“ｄｄｄｄ”、商品コード２の値が“−”、成立数の値が“−”、報知数の値が“−”、値引き額の値が“１０”である。すなわち、特売の販売形態“通常特売”の特売対象となっている期間が“２０１３／５／８〜２０１３／５／３０”であり、対象となっている商品の商品コードが“ｄｄｄｄ”であり、特売が適用された場合の値引き額が“１０円”であることが表されている。
なお、以下の説明では、特売情報テーブルに登録されている１つのレコードの全ての値が満たされた場合には「特売条件が満たされた」と称し、レコードが１つも満たされていない場合には「特売条件が満たされていない」と称する。
【００２８】
図４は、商品登録画面の具体例を示す図である。
店員用表示部１０５に表示される商品登録画面は、複数の領域Ａ〜Ｃで構成される。商品登録画面とは、店員が商品の登録を行うための画面であり、通常、店員用表示部１０５には商品登録画面が表示されている。以下、商品登録画面の領域Ａ〜Ｃの各領域について具体的に説明する。
【００２９】
領域Ａは、店員が買上商品を登録するための複数の商品選択ボタンが設けられている商品登録領域である。商品選択ボタンは、例えばプリセットキーであり、商品選択ボタンのそれぞれには商品テーブルに登録されている商品の商品名が表示される。店員は、客が購入する商品を選択する際に商品選択ボタンを使用する。店員が、客が購入する商品に対応する商品選択ボタンに触れる、又は、商品に付されているバーコードをスキャナ部１０４に読み取らせることによって商品の登録が行われる。商品登録がなされると、ＣＰＵ１０１は、登録された商品の商品情報をＲＡＭ１０３に登録順に記録する。
また、商品選択ボタンの右側には、現在表示されている商品の分類（図４では、果物）と異なる分類の商品情報を表示させるための複数の切り替えボタン（切替えタブ）が設けられている。店員は、切り替えボタンを使用することで様々な分類の商品情報を商品登録領域に表示させる。
【００３０】
なお、複数の単品商品が登録された際に、登録された単品商品の組み合わせがセット商品（例えば、バンドル、セットマッチ、ミックスマッチ）の組み合わせになる場合、ＣＰＵ１０１はセット商品の組み合わせになる複数の単品商品をセット商品として商品の登録を行う。なお、セット商品を構成する複数の単品商品の中の単品商品が訂正されてセット商品の組み合わせが崩れてしまう場合、セット商品を構成する複数の単品商品はそれぞれ単品商品として商品の登録が行われる。
また、商品登録領域には、指定訂正ボタン２０及び直前訂正ボタン３０が表示される。指定訂正ボタン２０は、数点前の登録内容の訂正に使用されるボタンである。直前訂正ボタン３０は、直前（１個前）の登録内容の訂正に使用されるボタンである。
【００３１】
領域Ｂは、商品登録がなされた商品の商品情報が表示される登録商品表示領域である。例えば、登録商品表示領域には、店員によって商品登録領域で選択された商品、又は、スキャナ部１０４によって読み取られたバーコードに対応する商品の商品情報が表示される。図４に示される例では、登録商品表示領域には登録商品の商品名“巨峰”、“レモン”、“リンゴ”、“レモン”、“レモン”、“レモン”、“ナシ”とそれぞれの商品に設定されている通常価格が表示されている。さらに、登録商品表示領域の各表示欄には、商品が登録された順番を表す登録番号が表示されている。例えば、図４に示される例では、“巨峰”が“１１番目”に登録された商品であることが表されており、表示欄の１番下の項目には“ナシ”が“５番目”に登録された商品であることが表されている。なお、新たに商品登録がなされると、登録商品表示領域の表示欄の一番上に新しく登録された商品の商品情報が追加される。
【００３２】
また、登録商品表示領域の近傍には、登録商品表示領域に表示されている登録商品の商品情報の切り替えを行うための上下ボタン４０が表示されている。店員は、上下ボタン４０を操作することによって、所望の登録商品の商品情報を登録商品表示領域に表示させることができる。
また、店員が商品登録領域の指定訂正ボタン２０を押下した後に、登録商品表示領域に表示されている登録商品の商品情報に触れると、触れた登録商品の登録内容が訂正される。
【００３３】
領域Ｃは、登録された商品の商品名、金額、合計点数、合計金額等が表示される登録商品売上領域である。登録商品売上領域の左側の表示領域（符号Ｃ１）には、現在登録されている商品のうち最後に登録された商品の商品名及び価格が表示される。例えば、符号Ｃ１で示される領域には、登録商品のうち最後に登録された商品が“巨峰”であり、登録商品の金額が“８５０円”であることが表示されている。登録商品売上領域の右側の表示領域（符号Ｃ２）には、登録商品の合計点数（訂正された商品は除く）、合計金額（訂正された商品の金額は除く）等が表示される。例えば、符号Ｃ２で示される領域には、登録商品の合計点数が“９点”であり、登録商品の合計金額が“１，９００円”であることが表示されている。
【００３４】
また、図４に示されるように商品登録画面の下端にはまとめ表示ボタン５０が表示される。まとめ表示ボタン５０とは、登録商品の商品情報をまとめて表示するまとめ表示画面（不図示、以下同様）に遷移する際に店員によって押下されるボタンである。まとめ表示画面には、例えば後述（図５）するＲＡＭ１０３に記憶されている登録商品の商品情報が表示される。なお、ＣＰＵ１０１は、１取引の商品登録が開始される（新規取引の商品登録が開始される）とまとめ表示ボタン５０を表示または入力（押下）できるように制御し、現計キー（締めキー）が入力（押下）され会計処理が行われて１取引の処理が完了すると、まとめ表示ボタン５０を非表示または入力（押下）できないように制御してもよい。
【００３５】
図５は、ＲＡＭ１０３に記憶されている登録商品の商品情報を表す図である。図５に示されるようにＲＡＭ１０３には、登録商品の商品名及び登録商品の価格が登録順に記憶される。例えば、図５では、最初に登録された商品が“ナシ”であり、１番新しく登録された商品が“巨峰”であることが表されている。新たに商品登録がなされると、“巨峰”の下に新たに登録された商品の商品名が追加される。また、登録情報の最上段の行及び２段目の行の“ナシ”は、商品登録後に訂正されたことが表されている。
【００３６】
図６は、まとめ表示情報（ポップアップ画像）の具体例を示す図である。まとめ表示情報とは、店員から検索指示がなされた登録情報が店員用表示部１０５にまとめて表示された情報であり、例えばＲＡＭ１０３に記憶されている登録情報の少なくとも個数及び合計金額などの情報を含む。以下、複数パターン（例えば、４つ）のまとめ表示情報の表示例について具体例を挙げて説明する。
図６（Ａ）は、登録商品の商品情報のみが表示されたまとめ表示情報の表示例を示す図である。まとめ表示情報には、検索指示がなされた登録商品の通常価格、個数、商品名及び合計金額の各値が表示される。例えば図６（Ａ）に示される例では、まとめ表示情報には、単価（価格）“１００円”、個数“４個”、商品名“レモン”、合計金額“４００円”が表示されている。すなわち、店員から検索指示がなされた登録商品が“レモン”であり、“レモン”１個の価格が“１００円”であり、ＲＡＭ１０３には“レモン”が“４個”登録されており、合計金額が“４００円”であることが表されている。
なお、以下の説明では、図６（Ａ）に示すまとめ表示情報を単品まとめ表示情報と称する。
【００３７】
図６（Ｂ）は、販促情報を含むまとめ表示情報の表示例を示す図である。販促情報を含むまとめ表示情報には、検索指示がなされた登録商品の通常価格、個数、商品名、合計金額の各値とともに販促情報が表示される。販促情報の具体例として、例えばどの商品を何個買えば商品の値引き又は値下げがなされるかなどの情報である。販促情報は、例えば特売情報テーブルの報知数が満たされた場合にまとめ表示情報に表示される。例えば図６（Ｂ）に示される例では、販促情報を含むまとめ表示情報には、単価（価格）“１５０円”、個数“３個”、商品名“リンゴ”、合計金額“４５０円”の他に販促情報“ＭＭ４個→単価１００円”が表示されている。すなわち、店員から検索指示がなされた登録商品が“リンゴ”であり、“リンゴ”１個の価格が“１５０円”であり、ＲＡＭ１０３には“リンゴ”が“３個”登録されており、合計金額が“４５０円”であり、“リンゴ”を“４個”買えばミックスマッチ（ＭＭ）が成立するために特売が適用されて単価（価格）が“１００円”になることが表されている。販促情報の表示は、特売情報テーブルの登録内容によって適宜異なる。例えば、図３（Ｂ）の特売情報テーブルのような報知数が設定されている場合、現在ＲＡＭ１０３に記憶されている“リンゴ”の数が“３個”であるため、ＣＰＵ１０１は報知数を満たすと判定し、成立数を満たすための基本数量及び特売が適用された場合の単価を、店員によって検索指示が入力された登録商品（以下、「検索対象商品」という。）の商品情報とともに報知する。具体的には、ＣＰＵ１０１は、ミックスマッチの成立数が“リンゴ”４個であり、特売が適用された場合の単価が“１００円”であることを登録商品の商品情報とともに商品登録画面の画面上に重畳して表示させる。
【００３８】
店員は、販促情報を含むまとめ表示情報を見ることにより、検索を指示した商品が何個登録されていて、何個買えば割引又は値引きされるのかを瞬時に把握することができる。また、どのようなセット商品の組み合わせでどのくらい値引き又は割引されるのかに関する情報も表示される。そのため、店員は画面に表示された内容を客に伝えるだけで商品の購入を促すことができる。
なお、以下の説明では、図６（Ｂ）に示す販促情報を含むまとめ表示情報を販促まとめ表示情報と称する。
【００３９】
図６（Ｃ）は、訂正内容を含むまとめ表示情報の表示例を示す図である。訂正内容を含むまとめ表示情報には、検索指示がなされた登録商品の通常価格、個数、商品名の各値とともに訂正された登録商品の商品情報が表示される。例えば図６（Ｃ）に示される例では、訂正内容を含むまとめ表示情報には、単価（価格）“２００円”、個数“１個”、商品名“ナシ”の他に２つの画面訂正の情報が表示されている。すなわち、店員から検索指示がなされた登録商品が“ナシ”であり、“ナシ”１個の価格が“２００円”であり、“ナシ”が“３個”登録されており、そのうち“ナシ”２個が画面訂正により訂正されたことが表されている。
【００４０】
店員は、訂正内容を含むまとめ表示情報を見ることにより、検索を指示した商品が何個登録されていて、そのうち何個が訂正されているのかを瞬時に把握することができる。また、訂正された登録商品に対してはどのような訂正が行われたのかについて訂正に関する情報が表示されるため、店員は訂正内容も含めて登録商品の商品情報を一見して把握することができる。
なお、以下の説明では、図６（Ｃ）に示す訂正内容を含むまとめ表示情報を訂正まとめ表示情報と称する。
【００４１】
図６（Ｄ）は、特売情報を含むまとめ表示情報の表示例を示す図である。特売情報とは、特売が適用された場合に関する情報であり、例えば適用される特売の販売形態及び特売が適用された場合の合計金額などの情報を含む。特売情報を含むまとめ表示情報には、検索指示がなされた登録商品の通常価格、個数、商品名、合計金額の各値とともに特売情報が表示される。例えば図６（Ｄ）に示される例では、特売情報を含むまとめ表示情報には、単価（価格）“１５０円”、個数“４個”、商品名“リンゴ”、合計金額“６００円”の他に特売情報として“特売  ミックスマッチ値引  −２００円”及び特売が適用された場合の合計金額“４００円”が表示されている。すなわち、店員から検索指示がなされた登録商品が“リンゴ”であり、“リンゴ”１個の価格が“１５０円”であり、“リンゴ”が“４個”登録されており、合計金額が“６００円”であり、適用された特売の販売形態がミックスマッチによる値引きであり、値引きされる合計金額が“２００”であり、特売が適用された場合の合計金額が“４００円”であることが表されている。
【００４２】
店員は、特売情報を含むまとめ表示情報を見ることにより、検索を指示した商品が何個登録されていて、どのような販売形態の満たしたために値引きがなされているのかを瞬時に把握することができる。
なお、以下の説明では、図６（Ｄ）に示す特売情報を含むまとめ表示情報を特売まとめ表示情報と称する。
【００４３】
図７は、新たに商品登録がなされた後の商品登録画面の具体例を示す図である。
図７（Ａ）は、新たに商品登録がなされた際の商品登録画面の具体例を示す図である。店員によって新たに商品登録が行われると、ＣＰＵ１０１は登録された商品の商品情報を登録商品表示領域に表示する。図７（Ａ）に示されるように、登録商品表示領域の表示欄の１番上の行に新たに商品登録された商品の情報（図７（Ａ）では、商品名“リンゴ”、通常価格“１５０円”）が追加される（太枠６０）。このように、新たに商品が登録される度に、登録商品表示領域の表示欄の１番上の行に新たに商品登録された商品の情報が追加される。
図７（Ｂ）は、まとめ表示情報を商品登録画面に重畳した表示画面の具体例を示す図である。
図７（Ｂ）に示される表示画面には、一具体例として特売まとめ表示情報７０が重畳して表示されている。図７（Ｂ）には、特売まとめ表示情報７０が重畳される構成を示したが、商品登録画面の画面上には、上述したように店員の検索指示に応じて図６の各まとめ表示情報の何れか１つの表示情報が重畳して表示される。
【００４４】
図８は、本実施形態における商品販売データ処理装置１０のまとめ表示処理の流れの具体例を示すフローチャートである。なお、本実施形態におけるまとめ表示処理は、商品の登録が行われた（店員によってプリセットキーが押下された、又は、スキャナ部１０４によって商品に付されているバーコードが読み取られた）後に処理が開始される。なお、まとめ表示処理の開始時には、店員用表示部１０５には商品登録画面が表示されている。
【００４５】
ステップＳ１０：ＣＰＵ１０１は、店員によって登録された商品の商品情報を登録商品表示領域に表示する。この際、ＣＰＵ１０１は、登録された商品の商品情報をＲＡＭ１０３に記録する。その後、ステップＳ１２の処理に進む。また、商品の登録が行われない場合には、商品販売データ処理装置１０は商品の登録が行われるまで待機する。
ステップＳ１２：ＣＰＵ１０１は、まとめ表示ボタンが押下されたか否かを判定する。まとめ表示ボタンが押下された場合、ステップＳ１４の処理に進む。一方、まとめ表示ボタンが押下されていない場合、ステップＳ２６の処理に進む。
【００４６】
ステップＳ１４：ＣＰＵ１０１は、店員用表示部１０５の表示画面を商品登録画面からまとめ表示画面に切り替える。この際、ＣＰＵ１０１は、まとめ表示画面の画面上にＲＡＭ１０３に記憶されている登録商品の商品情報を登録順に表示させる。そして、店員用表示部１０５は、登録商品の検索指示を店員から受け付ける。その後、ステップＳ１６の処理に進む。
ステップＳ１６：店員によって登録商品の検索指示が入力（登録商品の商品情報の押下）されると、ＣＰＵ１０１は店員用表示部１０５の表示画面をまとめ表示画面から商品登録画面に切り替える。次に、ＣＰＵ１０１は、ＲＡＭ１０３に記録されている特売情報テーブルを読み出す。ＣＰＵ１０１は、読み出した特売情報テーブルの商品コードの項目を参照して検索対象商品が、特売情報テーブルに設定された商品であるか否かを判定する。特売情報テーブルに設定された商品である場合、ステップＳ１８の処理に進む。一方、特売情報テーブルに設定された商品ではない場合、ステップＳ２４の処理に進む。
【００４７】
ステップＳ１８：次に、ＣＰＵ１０１は、検索対象商品が特売条件を満たすか否かを判定する。特売条件を満たす場合、ステップＳ２０の処理に進む。一方、特売条件を満たさない場合、ステップＳ２２の処理に進む。
【００４８】
ステップＳ２０：ＣＰＵ１０１は、特売まとめ表示情報を、商品登録画面の画面上に重畳して表示する。具体的には、まず、ＣＰＵ１０１は、ＲＡＭ１０３に記憶された登録商品の商品情報と商品テーブルと特別情報テーブルとに基づいて、検索対象商品の商品情報及び特売情報を取得する。検索対象商品の商品情報とは、検索対象商品の商品名、個数、通常価格、合計金額の情報を含む。例えば、ＣＰＵ１０１は、登録情報と商品テーブルとに基づいて、検索対象商品の商品名、通常価格、個数の各値を取得する。次に、ＣＰＵ１０１は、取得した通常価格と個数とに基づいて合計金額を算出する。そして、次に、ＣＰＵ１０１は、特売情報テーブルから検索対象商品に対応する値引き額及び特売の販売形態の各値を取得する。その後、ＣＰＵ１０１は、取得した値引き額の値と個数と合計金額とに基づいて、値引き額の合計金額及び特売が適用された場合の合計金額を算出する。その後、ＣＰＵ１０１は、算出した各値（合計金額、値引き額の合計金額及び特売が適用された場合の合計金額）と取得した情報（商品名、通常価格、個数、特売の販売形態）とを含む特売まとめ表示情報を商品登録画面の画面上に重畳して表示させる。その後、ステップＳ１０の処理に戻る。
【００４９】
ステップＳ２２：ＣＰＵ１０１は、販促まとめ表示情報を、商品登録画面の画面上に重畳して表示する。具体的には、まず、ＣＰＵ１０１は、ＲＡＭ１０３に記憶された登録商品の商品情報と商品テーブルと特別情報テーブルとに基づいて、検索対象商品の商品情報及び特売情報を取得する。例えば、ＣＰＵ１０１は、登録情報と商品テーブルとに基づいて、検索対象商品の商品名、通常価格、個数の各値を取得する。次に、ＣＰＵ１０１は、取得した通常価格と個数とに基づいて合計金額を算出する。そして、次に、ＣＰＵ１０１は、特売情報テーブルを参照し、検索対象商品の個数が報知数を満たしているか否かを判定する。報知数を満たしていない場合には、ＣＰＵ１０１は検索対象商品の商品名、個数、通常価格及び合計金額を含む単品まとめ表示情報を商品登録画面の画面上に重畳して表示させる。一方、報知数を満たしている場合には、ＣＰＵ１０１は特売情報テーブルから検索対象商品に対応する成立数及び値引き額の各値を取得する。その後、ＣＰＵ１０１は、算出した各値（合計金額、特売が適用された場合の単価）と取得した情報（商品名、通常価格、個数、販促情報）とを含む販促まとめ表示情報を商品登録画面の画面上に重畳して表示させる。その後、ステップＳ１０の処理に戻る。
【００５０】
ステップＳ２４：ＣＰＵ１０１は、単品まとめ表示情報を、商品登録画面の画面上に重畳して表示する。具体的には、まず、ＣＰＵ１０１は、ＲＡＭ１０３に記憶された登録商品の商品情報と商品テーブルとに基づいて検索対象商品の商品情報を取得する。例えば、ＣＰＵ１０１は、登録情報と商品テーブルとに基づいて、検索対象商品の商品名、通常価格、個数の各値を取得する。次に、ＣＰＵ１０１は、取得した通常価格と個数とに基づいて合計金額を算出する。その後、ＣＰＵ１０１は、算出した各値（合計金額）と取得した情報（商品名、通常価格、個数）とを含む単品まとめ表示情報を商品登録画面の画面上に重畳して表示させる。なお、検索対象商品が、訂正を含む登録商品である場合には、ＣＰＵ１０１は訂正まとめ表示情報を商品登録画面の画面上に重畳して表示させる。その後、ステップＳ１０の処理に戻る。
ステップＳ２６：ＣＰＵ１０１は、訂正ボタン（例えば、指定訂正ボタン２０又は直前訂正ボタン３０）が押下されたか否かを判定する。訂正ボタンが押下された場合、ステップＳ２８の処理に進む。一方、訂正ボタンが押下されていない場合、ステップＳ３２の処理に進む。
【００５１】
ステップＳ２８：店員用表示部１０５は、訂正する登録商品の指定を店員から受け付ける。なお、ステップＳ２６の処理において店員によって直前訂正ボタン３０が押下された場合には、ＣＰＵ１０１はＲＡＭ１０３に記憶されている登録商品の商品情報を参照し、その時点で最後に登録されている商品の登録内容を訂正する。例えば、図５のような情報が登録されている場合には、ＣＰＵ１０１は“巨峰”を訂正する。その後、ステップＳ３０の処理に進む。
ステップＳ３０：ＣＰＵ１０１は、ステップＳ２８の処理で店員から指定された１つの登録商品の登録内容を訂正する。すなわち、ステップＳ２８の処理で店員から指定された登録商品の商品情報がＲＡＭ１０３に複数記憶されている場合であっても、ＣＰＵ１０１は指定された１つの登録商品の登録内容を訂正する。その後、ステップＳ１０の処理に戻る。
【００５２】
ステップＳ３２：ＣＰＵ１０１は、小計キーが押下されたか否かを判定する。小計キーが押下された場合、ステップＳ３４の処理に進む。一方、小計キーが押下されていない場合、ステップＳ１０の処理に戻る。
ステップＳ３４：ＣＰＵ１０１は、店員用表示部１０５の表示画面を商品登録画面から小計画面（客に対して請求金額を表示する画面）に切り替えを行う。その後、ステップＳ３６の処理に進む。
ステップＳ３６：ＣＰＵ１０１は、客から受け取り預かった貨幣種の合算金額を預かり金額として数字キーによって置数入力された後、現計キーが押下されたか否かを判定する。現計キーが押下された場合、ＣＰＵ１０１は預かり金額に基づいて会計処理を行い、会計処理の完了後に印字部１１１にレシートを印字、発行させて１取引の処理が終了する。一方、現計キーが押下されていない場合、ステップＳ１０の処理に戻る。
【００５３】
以上のように構成された商品販売データ処理装置１０によれば、店員によって指定された特定の登録商品の商品情報をまとめて表示させることができる。したがって、同一商品が複数存在する場合に他の品目の商品と混ざった状態で登録されたとしても、店員によって指定された特定の登録商品の商品情報をまとめて表示させることができる。この際、特売条件を満たしている登録商品が店員によって選択されると、登録商品のまとめ表示情報の他に特売が適用された値引きあるいは割引の情報及び理由が表示される。さらに、店員は、まとめ表示ボタンを押下した後、検索したい登録商品を選択するだけで、特定の商品がどのくらい登録されているのかを把握することができる。そのため、店員の操作を良好にし、客からの問い合わせや特定品目の確認を迅速に行うことが可能になる。
【００５４】
また、店員によって選択された登録商品が特売条件を満たしていない場合には、その商品のまとめ表示情報の他にあと何個商品を購入すれば、特売のサービスを受けることができるか等の情報を示す販促情報が表示される。そのため、店員は、表示された内容に基づいて客の問い合わせに答えるだけでなく、客に対して商品を勧めることも可能になる。
本発明の商品販売データ処理装置１０によれば、商品登録から現計キーが押下されるまでの間（会計処理が行われる前）であればどのタイミングであってもまとめ表示処理を行うことができる。そのため、お会計の直前における客からの問い合わせや特定品目の確認を直ぐ行うことができる。
【００５５】
＜変形例＞
本実施形態では、新たに商品が登録される度に、商品登録表示領域の表示欄の上から追加登録される構成を示したが、これに限定される必要はない。例えば、新たに商品が登録される度に、下から追加登録されるように構成されてもよい。
特売情報テーブルには、値引き額に代えて割引率等の情報が設定されてもよい。この場合、特売情報テーブルに設定された割引率に基づいて算出された価格が特別価格（特売情報適用後の価格）に設定される。また、特売情報テーブルには、特売期間に代えて特定の曜日や特定の時間が特売期間として設定されてもよい。
商品販売データ処理装置１０の形態は、上述の形態に限定される必要はない。例えば、商品販売データ処理装置１０の形態は、タブレットタイプやＰＤＡ（Personal Digital Assistants）タイプであってもよいし、その他の形態であってもよい。
店員用表示部１０５に表示される商品選択ボタンは、商品（料理）の画像や商品を特定できる情報であればどのような表示であってもよい。また、本実施形態において、商品選択ボタンは、店員用表示部１０５のタッチパネルとしたが、これに限定される必要はない。例えば、本発明の趣旨を逸脱しない範囲であれば、機械式の選択ボタン等を用いて構成されてもよい。
なお、本実施の形態では、検索指示に該当した登録商品の情報を、他の商品と区別して表示するためにポップアップ画像（表示）にて店員用表示部１０５の画面上に重畳して表示しているがこれに限らず、例えば、領域Ｂ（登録商品表示領域）を他の商品の表示と検索指示に該当した登録商品の表示とに区別した表示としてもよい。また、商品の検索指示の入力を受け付けは、現計キーの入力（押下）前でないと受付けないようにしてもよい。
また、本実施形態では、登録処理と会計処理とを行う１つの商品販売データ処理装置１０の形態としたがこれに限らず、例えば、１つの商品販売データ処理装置１０を登録装置（１取引の商品登録を行う装置）と会計装置（登録された１取引の商品登録に基づいて会計処理を行う装置）とに分け、互いの装置（登録装置及び会計装置）が通信可能な状態で接続され、登録された１取引の商品登録データを送受信することができる商品販売データ処理装置１０としてもよい。この場合、会計装置において、現計キー（締めキー）が押下される前であれば、会計装置または登録装置の何れかにおいて１取引で販売登録される商品の検索指示の入力を受け付け、検索指示の入力を受け付けた会計装置または登録装置が検索指示に該当する商品が記憶手段に記憶した商品に存在するか否か検索し、検索指示に該当する商品が存在する場合、検索指示の入力を受け付けた会計装置または登録装置が表示部に表示する他の商品の情報と区別して検索指示に該当する商品の情報を報知する。
また、登録処理と会計処理とを管理する上位管理装置を更に設け、この上位管理装置も含め商品販売データ処理装置１０とする場合は、記憶手段を上位管理装置に設け、登録装置で登録された１取引の商品登録を上位管理装置の記憶手段に記憶し、会計装置が上位管理装置の記憶手段が記憶する１取引の商品登録データを呼出し、会計装置の現計キー（締めキー）が押下されると会計処理を行う。このような商品販売データ処理装置１０において、会計装置の現計キー（締めキー）が押下される前に、会計装置または登録装置の何れかにおいて１取引の商品登録における検索指示の入力を受け付けると、検索指示の入力を受け付けた会計装置または登録装置は検索指示に該当する商品が上位管理装置の記憶手段が記憶する該当取引の商品登録に存在するか否かを検索し、検索指示に該当する商品が上位管理装置の記憶手段が記憶する該当取引の商品登録に存在する場合、検索指示の入力を受け付けた会計装置または登録装置が表示部に表示する他の商品の情報と区別して検索指示に該当する商品の情報を報知する。
【００５６】
商品販売データ処理装置１０は、１店舗で複数台利用される構成でもよい。
商品販売データ処理装置１０の商品登録画面は、上述の商品登録画面に限定される必要はない。例えば、商品登録表示領域の１つの表示欄に同一商品の商品情報がまとめて表示されてもよいし、商品登録表示領域の１つの表示欄に販促情報や特売情報などが登録商品の商品情報とともに表示されてもよい。また、店員が同一商品を複数個同時に登録した場合には、商品登録表示領域の１つの表示欄にまとめて表示されてもよい。この処理は、店員が商品登録ボタンの商品選択ボタンを押下した、又は、スキャナ部１０４によって商品に付されているバーコードが読み取られた後に、店員が個数を入力した場合に行われる。
【００５７】
以上、この発明の実施形態について図面を参照して詳述してきたが、具体的な構成はこの実施形態に限られるものではなく、この発明の要旨を逸脱しない範囲の設計等も含まれる。
【００５８】
なお、本発明の商品販売データ処理装置１０の各処理を実行するためのプログラムをコンピュータ読み取り可能な記録媒体に記録して、当該記録媒体に記録されたプログラムをコンピュータシステムに読み込ませ、実行することにより、商品販売データ処理装置１０の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００６０】
１０…ＰＯＳレジスタ（商品販売データ処理装置），  １０１…ＣＰＵ，  １０２…ＲＯＭ，  １０３…ＲＡＭ（記憶手段），  １０４…スキャナ部，  １０５…店員用表示部（表示手段），  １０６…客用表示部（表示手段），  １０７…操作部，  １０８…通信部，  １０９…ハードディスク，  １１０…釣銭釣札機，  １１１…印字部，  １１２…レシート発行口，  １１３…レシートカバー，  １１４…釣銭皿
【図１】
2015069401.tif 000003
【図２】
2015069401.tif 000004
【図３】
2015069401.tif 000005
【図４】
2015069401.tif 000006
【図５】
2015069401.tif 000007
【図６】
2015069401.tif 000008
【図７】
2015069401.tif 000009
【図８】
2015069401.tif 000010